(57)【特許請求の範囲】
【請求項１】
無線タグに向けて送信信号を送信すると共に、該送信信号に応じて前記無線タグから返信される返信信号を受信することで該無線タグとの間で情報の通信を行う無線タグ通信装置であって、
識別情報を指定することなく全ての前記無線タグの検出を行う第１の通信モードと、予め定められた複数の前記無線タグを定義するリストに含まれる何れかの無線タグに対応する識別情報を指定して該無線タグの検出を行う第２の通信モードとを、選択的に成立させる通信制御部と、
予め定められた切換条件から所定のパラメータに基づいて前記第１の通信モード及び第２の通信モードの切換判定を行う切換判定部と
を、備えたものであることを特徴とする無線タグ通信装置。
【請求項２】
前記切換判定部は、予め定められた複数の切換条件のうち前記通信モードの切換判定の基準となる切換条件及び対応するパラメータを選択し得るものである請求項１に記載の無線タグ通信装置。
【請求項３】
前記パラメータは、前記リストに含まれる無線タグのうち未検出の無線タグの個数であり、前記第１の通信モードから第２の通信モードへの切換条件は、前記リストに含まれる無線タグのうち未検出の無線タグの個数が所定の閾値未満となることである請求項２に記載の無線タグ通信装置。
【請求項４】
前記パラメータは、前記無線タグとの通信を開始してからの経過時間であり、前記第１の通信モードから第２の通信モードへの切換条件は、前記無線タグとの通信を開始してからの経過時間が所定の閾値以上となることである請求項２に記載の無線タグ通信装置。
【請求項５】
前記パラメータは、前記無線タグとの間の通信総回数であり、前記第１の通信モードから第２の通信モードへの切換条件は、前記無線タグとの間の通信総回数が所定の閾値以上となることである請求項２に記載の無線タグ通信装置。
【請求項６】
前記パラメータは、前記無線タグとの間の通信において１回の所定のコマンドでその識別情報を読み取ることが可能な無線タグの個数であり、前記第１の通信モードから第２の通信モードへの切換条件は、前記無線タグとの間の通信において１回の所定のコマンドでその識別情報を読み取ることが可能な無線タグの個数が所定の閾値未満となることである請求項２に記載の無線タグ通信装置。
【請求項７】
前記無線タグとの間の通信状態を判定する通信状態判定部を備え、前記切換判定部は、該通信状態判定部により判定される通信状態に応じて前記切換条件における閾値を変更するものである請求項３から６の何れかの無線タグ通信装置。
【請求項８】
前記切換判定部は、前記通信状態判定部により判定される通信状態に応じて前記リストに含まれる無線タグのうち未検出の無線タグの個数の閾値を変更するものである請求項７に記載の無線タグ通信装置。
【請求項９】
前記切換判定部は、前記通信状態判定部により判定される通信状態に応じて前記無線タグとの通信を開始してからの経過時間の閾値を変更するものである請求項７に記載の無線タグ通信装置。
【請求項１０】
前記切換判定部は、前記通信状態判定部により判定される通信状態に応じて前記無線タグとの間の通信総回数の閾値を変更するものである請求項７に記載の無線タグ通信装置。
【請求項１１】
前記切換判定部は、前記通信状態判定部により判定される通信状態に応じて前記無線タグとの間の通信において１回の所定のコマンドでその識別情報を読み取ることが可能な無線タグの個数の閾値を変更するものである請求項７に記載の無線タグ通信装置。
【請求項１２】
前記通信状態判定部は、前記無線タグとの間の通信における外乱の大きさに基づいて該無線タグとの間の通信状態を判定するものである請求項７から１１の何れか１に記載の無線タグ通信装置。
【請求項１３】
前記通信状態判定部は、前記無線タグとの間の通信における読取エラー率に基づいて該無線タグとの間の通信状態を判定するものである請求項７から１１の何れか１に記載の無線タグ通信装置。
【請求項１４】
前記通信状態判定部は、前記無線タグとの間の通信における読取時の通信成功スロット数、空きスロット数、又はコリジョンスロット数に基づいて該無線タグとの間の通信状態を判定するものである請求項７から１１の何れか１に記載の無線タグ通信装置。
【請求項１５】
前記無線タグ通信装置は、所定位置に対して移動可能に設けられた携帯式装置である請求項１から１４の何れか１に記載の無線タグ通信装置。
【請求項１６】
前記リストを記憶する記憶装置を内蔵するものである請求項１から１５の何れか１に記載の無線タグ通信装置。
【請求項１７】
請求項１から１６の何れか１に記載の無線タグ通信装置と、該無線タグ通信装置との間で情報の通信を行い得る、前記リストを記憶するサーバ装置とを、備え、前記無線タグ通信装置により該リストに含まれる複数の無線タグの存在を確認するための通信を行うものであることを特徴とする無線タグ通信システム。
【発明の詳細な説明】
【技術分野】
【０００１】
本発明は、無線タグとの間で無線による情報の通信を行う無線タグ通信装置及び無線タグ通信システムに関し、特に、予めリスト化された複数の無線タグの存在を可及的速やかに確認するための改良に関する。
【背景技術】
【０００２】
所定の情報が記憶された小型の無線タグ（応答器）から所定の無線タグ通信装置（質問器）により非接触にて情報の読み出しを行うＲＦＩＤ（Radio Frequency Identification）システムが知られている。このＲＦＩＤシステムは、無線タグが汚れている場合や見えない位置に配置されている場合であっても無線タグ通信装置との通信によりその無線タグに記憶された情報を読み出すことが可能であることから、商品管理や検査工程等の様々な分野において実用が期待されている。
【０００３】
斯かる無線タグ通信装置を用いた無線タグ通信システムの一形態として、予めリスト化された複数の無線タグの存在を確認するシステムが提案されている。例えば、特許文献１に記載された存在確認システムがそれである。斯かる技術は、店舗内における商品の棚卸し等に好適に利用されるものであり、例えば、管理対象である複数の物品（商品）それぞれに無線タグが貼られると共に、各物品と無線タグのＩＤとの対応関係がリスト化される。そして、無線タグ通信装置により各物品に貼られた無線タグとの間で通信が行われることで、店舗内に存在する物品を簡便且つ速やかに確認することができる。
【０００４】
【特許文献１】特開２００４−９３４２３号公報
【発明の開示】
【発明が解決しようとする課題】
【０００５】
しかし、前述したような従来の技術では、前記無線タグ通信装置による確認のための通信が進行するのに伴い、存在が未確認である物品すなわち無線タグの数は漸減していくにもかかわらず、通信対象としての無線タグは当初のままであることから、すべての物品を確認するのに過大な時間を要すると共に、前記無線タグ通信装置の消費電力が無駄に大きくなり、とりわけ携帯式装置の場合は電池がすぐに消費してしまうという弊害があった。このため、予めリスト化された複数の無線タグの存在を可及的速やかに確認し得る技術の開発が求められていた。
【０００６】
本発明は、以上の事情を背景として為されたものであり、その目的とするところは、予めリスト化された複数の無線タグの存在を可及的速やかに確認し得る無線タグ通信装置及び無線タグ通信システムを提供することにある。
【課題を解決するための手段】
【０００７】
斯かる目的を達成するために、本第１発明の要旨とするところは、無線タグに向けて送信信号を送信すると共に、その送信信号に応じて前記無線タグから返信される返信信号を受信することでその無線タグとの間で情報の通信を行う無線タグ通信装置であって、識別情報を指定することなく全ての前記無線タグの検出を行う第１の通信モードと、予め定められた複数の前記無線タグを定義するリストに含まれる何れかの無線タグに対応する識別情報を指定してその無線タグの検出を行う第２の通信モードとを、選択的に成立させる通信制御部と、予め定められた切換条件から所定のパラメータに基づいて前記第１の通信モード及び第２の通信モードの切換判定を行う切換判定部とを、備えたことを特徴とするものである。
【０００８】
また、前記目的を達成するために、本第２発明の要旨とするところは、前記第１発明の無線タグ通信装置と、その無線タグ通信装置との間で情報の通信を行い得る、前記リストを記憶するサーバ装置とを、備え、前記無線タグ通信装置によりそのリストに含まれる複数の無線タグの存在を確認するための通信を行うことを特徴とする無線タグ通信システムである。
【発明の効果】
【０００９】
このように、前記第１発明によれば、識別情報を指定することなく全ての前記無線タグの検出を行う第１の通信モードと、予め定められた複数の前記無線タグを定義するリストに含まれる何れかの無線タグに対応する識別情報を指定してその無線タグの検出を行う第２の通信モードとを、選択的に成立させる通信制御部と、予め定められた切換条件から所定のパラメータに基づいて前記第１の通信モード及び第２の通信モードの切換判定を行う切換判定部とを、備えたものであることから、予めリスト化された複数の無線タグの存在を確認するための通信において、その確認の進行に応じて識別情報を指定しての通信に切り換えることができるため、未確認の無線タグとの間で効率的に通信を行うことができる。すなわち、予めリスト化された複数の無線タグの存在を可及的速やかに確認し得る無線タグ通信装置を提供することができる。
【００１０】
ここで、前記第１発明において、好適には、前記切換判定部は、予め定められた複数の切換条件のうち前記通信モードの切換判定の基準となる切換条件及び対応するパラメータを選択し得るものである。このようにすれば、複数の基準を選択的に用いることで、未確認の無線タグとの間で更に効率的な通信を行い得るように前記第１の通信モード及び第２の通信モードの切換判定を行うことができる。
【００１１】
また、好適には、前記パラメータは、前記リストに含まれる無線タグのうち未検出の無線タグの個数であり、前記第１の通信モードから第２の通信モードへの切換条件は、前記リストに含まれる無線タグのうち未検出の無線タグの個数が所定の閾値未満となることである。このようにすれば、実用的な切換条件及びパラメータにより前記第１の通信モード及び第２の通信モードの切換判定を行うことができる。
【００１２】
また、好適には、前記パラメータは、前記無線タグとの通信を開始してからの経過時間であり、前記第１の通信モードから第２の通信モードへの切換条件は、前記無線タグとの通信を開始してからの経過時間が所定の閾値以上となることである。このようにすれば、実用的な切換条件及びパラメータにより前記第１の通信モード及び第２の通信モードの切換判定を行うことができる。
【００１３】
また、好適には、前記パラメータは、前記無線タグとの間の通信総回数であり、前記第１の通信モードから第２の通信モードへの切換条件は、前記無線タグとの間の通信総回数が所定の閾値以上となることである。このようにすれば、実用的な切換条件及びパラメータにより前記第１の通信モード及び第２の通信モードの切換判定を行うことができる。
【００１４】
また、好適には、前記パラメータは、前記無線タグとの間の通信において１回の所定のコマンドでその識別情報を読み取ることが可能な無線タグの個数であり、前記第１の通信モードから第２の通信モードへの切換条件は、前記無線タグとの間の通信において１回の所定のコマンドでその識別情報を読み取ることが可能な無線タグの個数が所定の閾値未満となることである。ここで、所定のコマンドとは、例えばEPCglobalで標準化されているC1G2（Class 1 Generation 2）のプロトコルの場合、「Query」コマンドを指す。このようにすれば、実用的な切換条件及びパラメータにより前記第１の通信モード及び第２の通信モードの切換判定を行うことができる。
【００１５】
また、好適には、前記無線タグとの間の通信状態を判定する通信状態判定部を備え、前記切換判定部は、その通信状態判定部により判定される通信状態に応じて前記切換条件における閾値を変更するものである。このようにすれば、通信状態に応じた閾値を設定することで、未確認の無線タグとの間で更に効率的な通信を行い得るように前記第１の通信モード及び第２の通信モードの切換判定を行うことができる。
【００１６】
また、好適には、前記切換判定部は、前記通信状態判定部により判定される通信状態に応じて前記リストに含まれる無線タグのうち未検出の無線タグの個数の閾値を変更するものである。このようにすれば、実用的な切換条件において閾値を適宜設定することで前記第１の通信モード及び第２の通信モードの切換判定を好適に実行することができる。
【００１７】
また、好適には、前記切換判定部は、前記通信状態判定部により判定される通信状態に応じて前記無線タグとの通信を開始してからの経過時間の閾値を変更するものである。このようにすれば、実用的な切換条件において閾値を適宜設定することで前記第１の通信モード及び第２の通信モードの切換判定を好適に実行することができる。
【００１８】
また、好適には、前記切換判定部は、前記通信状態判定部により判定される通信状態に応じて前記無線タグとの間の通信総回数の閾値を変更するものである。このようにすれば、実用的な切換条件において閾値を適宜設定することで前記第１の通信モード及び第２の通信モードの切換判定を好適に実行することができる。
【００１９】
また、好適には、前記切換判定部は、前記通信状態判定部により判定される通信状態に応じて前記無線タグとの間の通信において１回の所定のコマンドでその識別情報を読み取ることが可能な無線タグの個数の閾値を変更するものである。このようにすれば、実用的な切換条件において閾値を適宜設定することで前記第１の通信モード及び第２の通信モードの切換判定を好適に実行することができる。
【００２０】
また、好適には、前記通信状態判定部は、前記無線タグとの間の通信における外乱の大きさに基づいてその無線タグとの間の通信状態を判定するものである。このようにすれば、実用的な態様で前記無線タグとの間の通信状態を判定することができる。
【００２１】
また、好適には、前記通信状態判定部は、前記無線タグとの間の通信における読取エラー率に基づいてその無線タグとの間の通信状態を判定するものである。このようにすれば、実用的な態様で前記無線タグとの間の通信状態を判定することができる。
【００２２】
また、好適には、前記通信状態判定部は、前記無線タグとの間の通信における読取時の通信成功スロット数、空きスロット数、又はコリジョンスロット数に基づいてその無線タグとの間の通信状態を判定するものである。このようにすれば、実用的な態様で前記無線タグとの間の通信状態を判定することができる。
【００２３】
また、好適には、前記無線タグ通信装置は、所定位置に対して移動可能に設けられた携帯式装置である。このようにすれば、予めリスト化された複数の無線タグの存在確認のための通信に好適に用いられる携帯式の無線タグ通信装置に関して、それら複数の無線タグの存在を可及的速やかに確認する通信を実現することができる。
【００２４】
また、好適には、前記リストを記憶する記憶装置を内蔵するものである。このようにすれば、実用的な態様でそのリストに含まれる複数の無線タグの存在を確認するための通信を行うことができる。
【００２５】
また、前記第２発明によれば、前記第１発明の無線タグ通信装置と、その無線タグ通信装置との間で情報の通信を行い得る、前記リストを記憶するサーバ装置とを、備え、前記無線タグ通信装置によりそのリストに含まれる複数の無線タグの存在を確認するための通信を行うことを特徴とする無線タグ通信システムであることから、予めリスト化された複数の無線タグの存在を確認するための通信において、その確認の進行に応じて識別情報を指定しての通信に切り換えることができるため、未確認の無線タグとの間で効率的に通信を行うことができる。すなわち、予めリスト化された複数の無線タグの存在を可及的速やかに確認し得る無線タグ通信システムを提供することができる。
【００２６】
以下、本発明の好適な実施例を図面に基づいて詳細に説明する。
【実施例】
【００２７】
図１は、本発明が好適に適用される無線タグ通信システム１０を説明する図である。この無線タグ通信システム１０は、本第１発明の一実施例である無線タグ通信装置１２と、その無線タグ通信装置１２の通信対象である単数乃至は複数（図１では単数）の無線タグ１４とから構成される所謂ＲＦＩＤ（Radio Frequency Identification）システムであり、上記無線タグ通信装置１２はそのＲＦＩＤシステムの質問器として、上記無線タグ１４は応答器としてそれぞれ機能する。すなわち、上記無線タグ通信装置１２から質問波Ｆｃ（送信信号）が上記無線タグ１４に向けて送信されると、その質問波Ｆｃを受信した上記無線タグ１４において所定の情報信号（データ）によりその質問波Ｆｃが変調され、応答波Ｆｒ（返信信号）として上記無線タグ通信装置１２に向けて返信されることで、その無線タグ通信装置１２と無線タグ１４との間で情報の通信が行われる。この無線タグ通信システム１０は、図５等を用いて後述するように、所定の通信領域内における物品８０の管理等に好適に用いられるものであり、上記無線タグ１４は管理対象である物品８０に貼られる等してその物品８０と一体的に設けられている。
【００２８】
図２は、上記無線タグ通信装置１２の外観を示す斜視図である。この図２に示すように、本実施例の無線タグ通信装置１２は、主に上記無線タグ１４との間で情報の通信を行うための通信部１６と、上記通信に関する所定の映像（画像）を表示させるための表示部１８と、上記通信に関する種々の操作を行うための操作部２０とを、備えている。この無線タグ通信装置１２は、好適には、所定位置例えば上記無線タグ通信システム１０の適用される室（乃至はその床）等に対して移動可能に設けられた携帯式装置すなわちハンディスキャナであり、上記無線タグ１４の検索等に際して利用者が携帯して用いることができるようになっている。
【００２９】
上記通信部１６は、前記無線タグ１４に向けて送信信号を送信すると共に、その送信信号に応じてその無線タグ１４から返信される返信信号を受信するための送受信アンテナ２２を備えている。この送受信アンテナ２２としては、例えば、パッチアンテナ等により、直線偏波平面アンテナや円偏波平面アンテナが好適に用いられる。また、上記表示部１８は、液晶ディスプレイ等の表示装置であり、例えば、図２に示すように、後述するメモリ部７６から読み出される検索対象となり得る無線タグ１４のリストを表示させたり、検索対象である無線タグ１４が検出されたことを示す映像を表示させるというように、前記無線タグ１４との間の通信に関する様々な映像を表示させる。また、上記操作部２０は、前記無線タグ１４の検索を実行させるための検索ボタン３０と、上記表示部１８に表示されるカーソルを移動させる等の操作を行うための上下左右の移動ボタン３２とを、備えている。前記無線タグ通信装置１２は、例えば、上記検索ボタン３０が押下されている間は継続して前記無線タグ１４の検索を行う。
【００３０】
図３は、上記無線タグ通信装置１２の構成を説明する図である。この図３に示すように、上記無線タグ通信装置１２は、上記無線タグ１４に対する情報の読み出しや、その無線タグ１４の検索等を実行するためにその無線タグ１４との間で情報の通信を行うものであり、送信信号をディジタル信号として出力したり、上記無線タグ１４からの返信信号を復調する等のディジタル信号処理を実行するＤＳＰ（Digital Signal Processor）３４と、そのＤＳＰ３４により出力された送信信号を記憶する送信メモリ部３６と、その送信メモリ部３６から読み出される送信信号をアナログ信号に変換する送信信号Ｄ／Ａ変換部３８と、所定の周波数の局発信号を発生させる局部発振器４０と、上記送信信号Ｄ／Ａ変換部３８によりアナログ信号に変換された送信信号の周波数をその局部発振器４０から出力される局発信号の周波数だけ高くするアップコンバータ４２と、そのアップコンバータ４２から出力される送信信号を所定の増幅率で増幅する送信信号増幅部４４と、前記送受信アンテナ２２により受信される受信信号を所定の増幅率で増幅する受信信号増幅部４６と、上記送信信号増幅部４４により増幅された送信信号を前記送受信アンテナ２２に供給すると共に、その送受信アンテナ２２により受信された受信信号を上記受信信号増幅部４６に供給する送受信分離部４８と、上記受信信号増幅部４６により増幅された受信信号の周波数を上記局部発振器４０から出力される局発信号の周波数だけ低くするダウンコンバータ５０と、そのダウンコンバータ５０から出力される受信信号をディジタル信号に変換する受信信号Ａ／Ｄ変換部５２と、その受信信号Ａ／Ｄ変換部５２によりディジタル信号に変換された受信信号を記憶すると共に、上記ＤＳＰ３４によりその受信信号の読み出しが可能とされた受信メモリ部５４とを、備えて構成されている。ここで、上記送受信分離部４８としては、サーキュレータ若しくは方向性結合器等が好適に用いられる。
【００３１】
上記ＤＳＰ３４は、中央演算処理装置であるＣＰＵ、読出専用メモリであるＲＯＭ、及び随時書込読出メモリであるＲＡＭ等から成り、ＲＡＭの一時記憶機能を利用しつつＲＯＭに予め記憶されたプログラムに従って信号処理を行う所謂マイクロコンピュータシステムであり、前記無線タグ１４への送信信号に対応するコマンドビット列を生成するコマンドビット列生成部５６と、そのコマンドビット列生成部５６から出力されたディジタル信号を符号化する符号化部５８と、その符号化部５８により符号化された信号を変調して上記送信メモリ部３６に供給する変調部６０と、上記受信メモリ部５４から読み出された受信信号を復調して復調波を検出する復調部６２と、その復調部６２により復調された復調波を復号する復号部６４と、その復号部６４により復号された復号信号を解釈して前記無線タグ１４の変調に関する情報信号を読み出す返答ビット列解釈部６６と、その返答ビット列解釈部６６により読み出された情報信号に応じて前記表示部１８に所定の映像を表示させる等、その表示部１８における表示を制御する表示制御部６８と、前記無線タグ１４との間の通信状態を判定する通信状態判定部７０と、その通信状態判定部７０による判定結果等に応じて前記無線タグ１４との通信モードの切換を判定する切換判定部７１と、上記コマンドビット列生成部５６等を介して前記無線タグ１４を対象とする無線通信を制御する通信制御部７２とを、機能的に備えている。また、前記無線タグ通信装置１２は、データベースサーバ等との間で無線ＬＡＮ通信により情報の送受信を行うための無線ＬＡＮ通信部７４と、その無線ＬＡＮ通信部７４により受信された情報や上記返答ビット列解釈部６６により読み出された情報信号等、上記無線タグ１４との通信に関する様々な情報を記憶するメモリ部７６とを、備えている。上記通信状態判定部７０、切換判定部７１、及び通信制御部７２の動作については、図７等を用いて後述する。なお、後述するサーバ装置１０２との通信を行う必要がない態様では、上記無線ＬＡＮ通信部７４は必ずしも設けられなくともよい。
【００３２】
図４は、前記メモリ部７６に記憶された無線タグリストを例示する図である。また、図５は、本実施例の無線タグ通信システム１０において、収納庫７８内に収納された物品８０に貼られた無線タグ１４を前記無線タグ通信装置１２により検索する様子を説明する図である。この図５に示すように、本実施例の無線タグ通信システム１０では、例えば、管理対象物である書籍等の物品８０ａ、８０ｂ、８０ｃ、・・・（以下、特に区別しない場合には単に物品８０という）にそれぞれ１つずつの無線タグ１４ａ、１４ｂ、１４ｃ、・・・が貼り付けられており、それら無線タグ１４の検索により各無線タグ１４に対応する物品８０の収納された位置が検出され、それら物品８０の棚卸し等の管理を行い得るようになっている。ここで、各無線タグ１４には、それぞれ所定のＩＤ（例えば８桁の数字）が後述するメモリ部９４に記憶されており、そのＩＤによりそれぞれの無線タグ１４が識別可能とされている。また、図４に示すように、前記無線タグ通信装置１２のメモリ部７６には、前記無線タグ通信システム１０における管理対象である複数の無線タグ１４それぞれのＩＤが、各無線タグ１４が貼り付けられた物品８０に関する情報と関連づけられて記憶されている。すなわち、前記無線タグ通信システム１０における管理対象である全ての無線タグ１４に関して、その無線タグ１４の管理対象物として例えば書籍名、著者名、及び出版社等の情報が定義リストとして記憶されている。また、それぞれの無線タグ１４が検出されたか否かを示す確認フラグＯＮ又はＯＦＦが各無線タグ１４のＩＤと関連づけられて記憶されるようになっている。換言すれば、前記無線タグ通信システム１０に備えられた全ての無線タグ１４に関して、それら無線タグ１４が前記無線タグ通信装置１２により検出されたか否か（検出既であるか未検出であるか）がその無線タグ通信装置１２に内蔵された記憶装置としての前記メモリ部７６の無線タグリストに記憶されるようになっている。
【００３３】
図６は、前記無線タグ１４に備えられた無線タグ回路素子８２の構成を説明する図である。この図６に示すように、上記無線タグ回路素子８２は、前記無線タグ通信装置１２との間で信号の送受信を行うためのアンテナ部８４と、そのアンテナ部８４により受信された信号を処理するためのＩＣ回路部８６とを、備えて構成されている。そのＩＣ回路部８６は、上記アンテナ部８４により受信された前記無線タグ通信装置１２からの質問波Ｆｃを整流する整流部８８と、その整流部８８により整流された質問波Ｆｃのエネルギを蓄積するための電源部９０と、上記アンテナ部８４により受信された搬送波からクロック信号を抽出して制御部９８に供給するクロック抽出部９２と、所定の情報信号を記憶し得る情報記憶部として機能するメモリ部９４と、上記アンテナ部８４に接続されて信号の変調及び復調を行う変復調部９６と、上記整流部８８、クロック抽出部９２、及び変復調部９６等を介して上記無線タグ回路素子８２の作動を制御するための制御部９８とを、機能的に含んでいる。この制御部９８は、前記無線タグ通信装置１２と通信を行うことにより上記メモリ部９４に上記所定の情報を記憶する制御や、上記アンテナ部８４により受信された質問波Ｆｃを上記変復調部９６において上記メモリ部９４に記憶された情報信号に基づいて変調したうえで応答波Ｆｒとして上記アンテナ部８４から反射返信する制御等の基本的な制御を実行する。
【００３４】
図３に戻って、前記通信状態判定部７０は、前記無線タグ通信装置１２による前記無線タグ１４との間の通信状態を判定する。好適には、前記無線タグ１４との間の通信における外乱の大きさに基づいてその無線タグ１４との間の通信状態を判定する。すなわち、前記送受信アンテナ２２により受信される受信信号に含まれるノイズの大きさに基づいてその通信に係る無線タグ１４との間の通信状態を判定する。ここで、前記無線タグ１４との間の通信における外乱の大きさとは、通信を行う際の外来雑音の大きさをいうものであるが、前記通信状態判定部７０は、具体的には、前記無線タグ１４との間の通信（コマンド等の送信）を行なう前に受信回路すなわち前記復調部６２等を動作させたときに受信される信号（復調部６２から出力される信号）の信号強度を検出することで斯かる外乱の大きさを検出する。
【００３５】
また、前記通信状態判定部７０は、好適には、前記無線タグ１４との間の通信における読取エラー率に基づいてその無線タグ１４との間の通信状態を判定する。例えば、前記無線タグ１４との間の通信におけるビットエラーレート（Bit Error Rate）を検出し、そのビットエラーレートに基づいてその無線タグ１４との間の通信状態を判定する。換言すれば、前記返答ビット列解釈部６６により符号を構成するビットが正しく読みとれなかった割合（比率）を検出する。また、前記無線タグ１４との間の通信におけるフレームエラーレート（Frame Error Rate）に基づいてその無線タグ１４との間の通信状態を判定するものであってもよい。
【００３６】
また、前記通信状態判定部７０は、好適には、前記無線タグ１４との間の通信における読取時の通信成功スロット数、空きスロット数、又はコリジョンスロット数に基づいてその無線タグ１４との間の通信状態を判定する。すなわち、所定の無線タグ１４を対象とする通信に際して、一つの通信単位時間（スロット）毎に前記無線タグ１４からの返信信号を受信する場合、返信信号の受信に成功したスロット数、応答信号を検出しなかったスロット数、又は異なる識別情報に対応する返信信号（反射波）が同時に受信されたスロット数（コリジョンスロット数）の何れか（若しくはそれらの複合的な結果）に基づいて通信状態を判定する。
【００３７】
前記通信制御部７２は、前記切換判定部７１による判定結果に基づいて、前記メモリ部７６に記憶されたリストに含まれる全ての無線タグ１４を通信対象としてそれら無線タグ１４との間で情報の通信を行う第１の通信モードと、指定された識別情報（ＩＤ）に対応する少なくとも１つの前記無線タグ１４を通信対象としてその無線タグ１４との間で情報の通信を行う第２の通信モードとを、選択的に成立させる。すなわち、前記切換判定部７１による判定結果に応じて、ＩＤを無指定で全ての無線タグ１４の検出を行う「Get All ID」コマンドによる全タグ読取モードと、ＩＤを指定して検出を行う「Get This ID」コマンドによるタグ指定読取モードとを選択的に成立させる。具体的には、上記第１の通信モードにおいては、前記コマンドビット列生成部５６により「Get All ID」コマンドに係るコマンドビット列を生成し、そのコマンドビット列に対応する通信を行う一方、上記第２の通信モードにおいては、前記コマンドビット列生成部５６により、前記メモリ部７６に記憶されたリストに含まれる無線タグ１４のうち未検出（確認フラグがＯＦＦである）の無線タグ１４のＩＤを指定して「Get This ID」コマンドに係るコマンドビット列を生成し、そのコマンドビット列に対応する通信を行う。
【００３８】
前記切換判定部７１は、予め定められた切換条件から所定のパラメータに基づいて前記通信制御部７２における第１の通信モード及び第２の通信モードの切換判定を行う。好適には、予め定められて前記メモリ部７６等に記憶された複数の切換条件のうち前記通信モードの切換判定の基準となる切換条件及び対応するパラメータを選択し得るものであり、そのようにして選択された切換条件から、対応するパラメータに基づいて前記通信モードの切換判定を行う。以下、この切換判定部７１による切換判定の基準となる複数の切換条件及び対応するパラメータについて分説する。
【００３９】
前記切換判定部７１は、好適には、前記リストに含まれる無線タグ１４のうち未検出の無線タグ１４の個数をパラメータとして前記通信モードの切換判定を行う。この態様において、切換判定の基準となる切換条件は、例えば、前記リストに含まれる無線タグ１４のうち未検出の無線タグ１４すなわち確認フラグがＯＦＦである無線タグ１４の個数が所定の閾値（例えば３つ）未満となることである。前記無線タグ通信装置１２により前記リストに含まれる全ての無線タグ１４の検出を行う場合、未検出の無線タグ１４の個数が比較的多い場合には、そのリストに含まれる全ての無線タグ１４を通信対象としてそれら無線タグ１４との間で情報の通信を行う第１の通信モード（全タグ読取モード）により通信を行う方が効率よく検出できるが、未検出の無線タグ１４の個数が比較的少なくなってきた場合には、その未検出の無線タグ１４のＩＤを指定して検出を行うタグ第２の通信モード（タグ指定読取モード）により通信を行う方が効率よく検出を行うことができる。ここで、前記閾値としての未検出の無線タグ１４の個数は、好適には、予め実験的に求められたデータ等に基づいて、前記無線タグ通信装置１２による無線タグ１４の検出効率を可及的に高めるように定められるものである。
【００４０】
また、前記切換判定部７１は、好適には、前記無線タグ１４との通信を開始してからの経過時間（読取総時間）をパラメータとして前記通信モードの切換判定を行う。この態様において、切換判定の基準となる切換条件は、例えば、前記無線タグ１４との通信を開始してからの経過時間が所定の閾値（例えば１分）以上となることである。前記無線タグ通信装置１２により前記リストに含まれる全ての無線タグ１４の検出を行う場合、無線タグ１４との通信を開始してからの経過時間が比較的短い場合には、そのリストに含まれる全ての無線タグ１４を通信対象としてそれら無線タグ１４との間で情報の通信を行う第１の通信モード（全タグ読取モード）により通信を行う方が効率よく検出できるが、経過時間が比較的長くなってきた場合には、未検出の無線タグ１４のＩＤを指定して検出を行うタグ第２の通信モード（タグ指定読取モード）により通信を行う方が効率よく検出を行うことができる。ここで、前記閾値としての経過時間は、好適には、予め実験的に求められたデータ等に基づいて、前記無線タグ通信装置１２による無線タグ１４の検出効率を可及的に高めるように定められるものである。
【００４１】
また、前記切換判定部７１は、好適には、前記無線タグ１４との間の通信総回数をパラメータとして前記通信モードの切換判定を行う。この態様において、切換判定の基準となる切換条件は、例えば、前記無線タグ１４との間の通信総回数が所定の閾値（１０回）以上となることである。前記無線タグ通信装置１２により前記リストに含まれる全ての無線タグ１４の検出を行う場合、無線タグ１４との通信総回数が比較的少ない場合には、そのリストに含まれる全ての無線タグ１４を通信対象としてそれら無線タグ１４との間で情報の通信を行う第１の通信モード（全タグ読取モード）により通信を行う方が効率よく検出できるが、通信総回数が比較的多くなってきた場合には、未検出の無線タグ１４のＩＤを指定して検出を行うタグ第２の通信モード（タグ指定読取モード）により通信を行う方が効率よく検出を行うことができる。ここで、前記閾値としての通信総回数は、好適には、予め実験的に求められたデータ等に基づいて、前記無線タグ通信装置１２による無線タグ１４の検出効率を可及的に高めるように定められるものである。
【００４２】
また、前記切換判定部７１は、好適には、前記無線タグ１４との間の通信において１回の所定のコマンドでそのＩＤ（識別情報）を読み取ることが可能な無線タグ１４の個数をパラメータとして前記通信モードの切換判定を行う。ここで、所定のコマンドとは、例えばEPCglobalで標準化されているC1G2（Class 1 Generation 2）のプロトコルの場合、「Query」コマンドを指す。この態様において、切換判定の基準となる切換条件は、例えば、前記無線タグ１４との間の通信において１回の所定のコマンドでそのＩＤを読み取ることが可能な無線タグ１４の個数が所定の閾値（例えば５つ）未満となることである。前記無線タグ通信装置１２により前記リストに含まれる全ての無線タグ１４の検出を行う場合、１回の「Query」コマンドに対応する通信でＩＤを読み取ることが可能な無線タグ１４の個数が比較的多い場合には、そのリストに含まれる全ての無線タグ１４を通信対象としてそれら無線タグ１４との間で情報の通信を行う第１の通信モード（全タグ読取モード）により通信を行う方が効率よく検出できるが、その個数が比較的少なくなってきた場合には、未検出の無線タグ１４のＩＤを指定して検出を行うタグ第２の通信モード（タグ指定読取モード）により通信を行う方が効率よく検出を行うことができる。ここで、前記閾値としての無線タグ１４の個数は、好適には、予め実験的に求められたデータ等に基づいて、前記無線タグ通信装置１２による無線タグ１４の検出効率を可及的に高めるように定められるものである。
【００４３】
ここで、前記切換判定部７１は、前記通信状態判定部７０により判定される通信状態に応じて前記通信モードの切換判定の基準となる閾値を変更するものである。すなわち、前記リストに含まれる無線タグ１４のうち未検出の無線タグ１４の個数をパラメータとする態様では、前記通信状態判定部７０により判定される通信状態に応じて前記リストに含まれる無線タグ１４のうち未検出の無線タグの個数の閾値を変更する。また、前記無線タグ１４との通信を開始してからの経過時間（読取総時間）をパラメータとする態様では、前記通信状態判定部７０により判定される通信状態に応じて前記無線タグ１４との通信を開始してからの経過時間の閾値を変更する。また、前記無線タグ１４との間の通信総回数をパラメータとする態様では、前記通信状態判定部７０により判定される通信状態に応じて前記無線タグ１４との間の通信総回数の閾値を変更する。また、前記無線タグ１４との間の通信において１回の所定のコマンドでそのＩＤ（識別情報）を読み取ることが可能な無線タグ１４の個数をパラメータとする態様では、前記通信状態判定部７０により判定される通信状態に応じて前記無線タグ１４との間の通信において１回の所定のコマンドでその識別情報を読み取ることが可能な無線タグ１４の個数の閾値を変更する。ここで、前記通信状態判定部７０により判定される通信状態に応じての各閾値の増減を定めるための関係は、好適には、予め実験的に求められたデータ等に基づいて、前記無線タグ通信装置１２による無線タグ１４の検出効率を可及的に高めるように定められて前記メモリ部７６等に記憶されたものであり、前記切換判定部７１は、そのようにして予め定められた関係から、前記通信状態判定部７０により判定される通信状態に基づいて、対応するパラメータの閾値を増減させる。
【００４４】
図７は、前記無線タグ通信装置１２のＤＳＰ３４による無線タグ通信制御の要部を説明するフローチャートであり、所定の周期で繰り返し実行されるものである。
【００４５】
先ず、ステップ（以下、ステップを省略する）Ｓ１において、前記操作部２０による操作に応じて、或いは自動で通信モード切換判定の基準となる切換条件及び対応するパラメータが設定される。次に、Ｓ２において、Ｓ１にて設定された切換条件及びパラメータに対応して切換判定の基準となる閾値が設定される。次に、Ｓ３において、ＩＤを指定せずに全ての無線タグ１４の検出を行う全タグ読取モード（第１の通信モード）が成立させられ、前記コマンドビット列生成部５６等を介して「Get All ID」コマンドに対応する通信処理が実行される。次に、Ｓ４において、Ｓ３の通信の結果得られた無線タグ１４のＩＤが、前記メモリ部７６に記憶されたリストと照会され、そのＩＤに対応する確認フラグがＯＮとされる。
【００４６】
次に、Ｓ５において、通信モード切換判定の基準となる切換条件及びパラメータを変更するための条件が成立したか否かが判断される。このＳ５の判断が否定される場合には、Ｓ７以下の処理が実行されるが、Ｓ５の判断が肯定される場合には、Ｓ６において、通信モード切換判定の基準となる切換条件及びパラメータが変更された後、前記通信状態判定部７０の動作に対応するＳ７において、前記無線タグ通信装置１２による前記無線タグ１４との間の通信状態が判定される。次に、Ｓ８において、通信モード切換判定の基準となる閾値を変更するための条件が成立したか否かが判断される。このＳ８の判断が否定される場合には、Ｓ１０以下の処理が実行されるが、Ｓ８の判断が肯定される場合には、Ｓ９において、Ｓ７にて判定された通信状態に基づいて、通信モード切換判定の基準となる閾値が変更される。
【００４７】
次に、前記切換判定部７１の動作に対応するＳ１０において、Ｓ１又はＳ６にて設定された切換条件と、Ｓ２又はＳ９にて設定された閾値から、対応するパラメータに基づいて、通信モードを切り換えるための条件が成立したか否かが判断される。このＳ１０の判断が否定される場合には、Ｓ３以下の処理が再び実行されるが、Ｓ１０の判断が肯定される場合には、Ｓ１１において、ＩＤを指定して無線タグ１４の検出を行うタグ指定読取モード（第２の通信モード）が成立させられ、前記コマンドビット列生成部５６等を介して「Get This ID」コマンドに対応する通信処理が実行される。次に、Ｓ１２において、Ｓ１１の通信の結果得られた無線タグ１４のＩＤが、前記メモリ部７６に記憶されたリストと照会され、そのＩＤに対応する確認フラグがＯＮとされる。次に、Ｓ１３において、前記メモリ部７６に記憶されたリストにおいて未検出タグすなわち確認フラグがＯＦＦである無線タグ１４がなくなったか（全ての確認フラグがＯＮとなったか）否かが判断される。このＳ１３の判断が否定される場合には、Ｓ１１以下の処理が再び実行されるが、Ｓ１３の判断が肯定される場合には、それをもって本ルーチンが終了させられる。以上の制御において、Ｓ３及びＳ１１が前記通信制御部７２の動作に対応する。
【００４８】
このように、本実施例によれば、予め定められた複数の前記無線タグ１４を定義するリストに含まれる全ての無線タグ１４を通信対象としてそれら無線タグ１４との間で情報の通信を行う第１の通信モードと、指定された識別情報に対応する少なくとも１つの前記無線タグ１４を通信対象としてその無線タグ１４との間で情報の通信を行う第２の通信モードとを、選択的に成立させる通信制御部７２（Ｓ３及びＳ１１）と、予め定められた切換条件から所定のパラメータに基づいて前記第１の通信モード及び第２の通信モードの切換判定を行う切換判定部７１（Ｓ１０）とを、備えたものであることから、予めリスト化された複数の無線タグ１４の存在を確認するための通信において、その確認の進行に応じて識別情報を指定しての通信に切り換えることができるため、未確認の無線タグ１４との間で効率的に通信を行うことができる。すなわち、予めリスト化された複数の無線タグ１４の存在を可及的速やかに確認し得る無線タグ通信装置１２を提供することができる。
【００４９】
また、前記切換判定部７１は、予め定められた複数の切換条件のうち前記通信モードの切換判定の基準となる切換条件及び対応するパラメータを選択し得るものであるため、複数の基準を選択的に用いることで、未確認の無線タグ１４との間で更に効率的な通信を行い得るように前記第１の通信モード及び第２の通信モードの切換判定を行うことができる。
【００５０】
また、前記パラメータは、前記リストに含まれる無線タグ１４のうち未検出の無線タグ１４の個数であり、前記第１の通信モードから第２の通信モードへの切換条件は、前記リストに含まれる無線タグ１４のうち未検出の無線タグ１４の個数が所定の閾値未満となることであるため、実用的な切換条件及びパラメータにより前記第１の通信モード及び第２の通信モードの切換判定を行うことができる。
【００５１】
また、前記パラメータは、前記無線タグ１４との通信を開始してからの経過時間であり、前記第１の通信モードから第２の通信モードへの切換条件は、前記無線タグ１４との通信を開始してからの経過時間が所定の閾値以上となることであるため、実用的な切換条件及びパラメータにより前記第１の通信モード及び第２の通信モードの切換判定を行うことができる。
【００５２】
また、前記パラメータは、前記無線タグ１４との間の通信総回数であり、前記第１の通信モードから第２の通信モードへの切換条件は、前記無線タグ１４との間の通信総回数が所定の閾値以上となることであるため、実用的な切換条件及びパラメータにより前記第１の通信モード及び第２の通信モードの切換判定を行うことができる。
【００５３】
また、前記パラメータは、前記無線タグ１４との間の通信において１回の所定のコマンドでその識別情報を読み取ることが可能な無線タグ１４の個数であり、前記第１の通信モードから第２の通信モードへの切換条件は、前記無線タグ１４との間の通信において１回の所定のコマンドでその識別情報を読み取ることが可能な無線タグ１４の個数が所定の閾値未満となることであるため、実用的な切換条件及びパラメータにより前記第１の通信モード及び第２の通信モードの切換判定を行うことができる。
【００５４】
また、前記無線タグ１４との間の通信状態を判定する通信状態判定部７０（Ｓ７）を備え、前記切換判定部７１は、その通信状態判定部７０により判定される通信状態に応じて前記切換条件における閾値を変更するものであるため、通信状態に応じた閾値を設定することで、未確認の無線タグ１４との間で更に効率的な通信を行い得るように前記第１の通信モード及び第２の通信モードの切換判定を行うことができる。
【００５５】
また、前記切換判定部７１は、前記通信状態判定部７０により判定される通信状態に応じて前記リストに含まれる無線タグ１４のうち未検出の無線タグ１４の個数の閾値を変更するものであるため、実用的な切換条件において閾値を適宜設定することで前記第１の通信モード及び第２の通信モードの切換判定を好適に実行することができる。
【００５６】
また、前記切換判定部７１は、前記通信状態判定部７０により判定される通信状態に応じて前記無線タグ１４との通信を開始してからの経過時間の閾値を変更するものであるため、実用的な切換条件において閾値を適宜設定することで前記第１の通信モード及び第２の通信モードの切換判定を好適に実行することができる。
【００５７】
また、前記切換判定部７１は、前記通信状態判定部７０により判定される通信状態に応じて前記無線タグ１４との間の通信総回数の閾値を変更するものであるため、実用的な切換条件において閾値を適宜設定することで前記第１の通信モード及び第２の通信モードの切換判定を好適に実行することができる。
【００５８】
また、前記切換判定部７１は、前記通信状態判定部７０により判定される通信状態に応じて前記無線タグ１４との間の通信において１回の所定のコマンドでその識別情報を読み取ることが可能な無線タグ１４の個数の閾値を変更するものであるため、実用的な切換条件において閾値を適宜設定することで前記第１の通信モード及び第２の通信モードの切換判定を好適に実行することができる。
【００５９】
また、前記通信状態判定部７０は、前記無線タグ１４との間の通信における外乱の大きさに基づいてその無線タグ１４との間の通信状態を判定するものであるため、実用的な態様で前記無線タグ１４との間の通信状態を判定することができる。
【００６０】
また、前記通信状態判定部７０は、前記無線タグ１４との間の通信における読取エラー率に基づいてその無線タグ１４との間の通信状態を判定するものであるため、実用的な態様で前記無線タグ１４との間の通信状態を判定することができる。
【００６１】
また、前記通信状態判定部７０は、前記無線タグ１４との間の通信における読取時の通信成功スロット数、空きスロット数、又はコリジョンスロット数に基づいてその無線タグ１４との間の通信状態を判定するものであるため、実用的な態様で前記無線タグ１４との間の通信状態を判定することができる。
【００６２】
また、前記無線タグ通信装置１２は、所定位置に対して移動可能に設けられた携帯式装置であるため、予めリスト化された複数の無線タグ１４の存在確認のための通信に好適に用いられる携帯式の無線タグ通信装置１２に関して、それら複数の無線タグ１４の存在を可及的速やかに確認する通信を実現することができる。
【００６３】
また、前記無線タグ通信装置１２は、前記リストを記憶する記憶装置としてのメモリ部７６を内蔵するものであるため、実用的な態様でそのリストに含まれる複数の無線タグ１４の存在を確認するための通信を行うことができる。
【００６４】
続いて、本発明の他の好適な実施例を図面に基づいて詳細に説明する。なお、以下の説明において、実施例相互に共通する部分については同一の符号を付してその説明を省略する。
【００６５】
図８は、本第２発明の一実施例である無線タグ通信システム１００について説明する図である。この図８に示すように、本実施例の無線タグ通信システム１００は、前記無線タグ通信装置１２及び複数の無線タグ１４に加え、その無線タグ通信装置１２との間で情報の通信を行い得る、前記リストを記憶するサーバ装置１０２を備え、前記無線タグ通信装置１２によりそのリストに含まれる複数の無線タグ１４の存在を確認するための通信を行うものである。
【００６６】
図９は、上記サーバ装置１０２の構成を例示する図である。この図９に示すように、上記サーバ装置１０２は、中央演算処理装置であるＣＰＵ１０４により随時書込読出メモリであるＲＡＭ１０８の一時記憶機能を利用しつつ読出専用メモリであるＲＯＭ１０６に予め記憶されたプログラムに従って信号処理を行う所謂ノイマン式コンピュータであり、前記無線タグ通信装置１２を介して前記無線タグ通信システム１００による無線タグ１４の管理をはじめとする各種制御を行うサーバである。また、図９に示すように、ＣＲＴやＴＦＴ等の映像表示装置１１０と、その映像表示装置１１０による映像の表示を制御するための映像表示制御装置であるビデオボード１１２と、キーボード等の入力装置１１４と、その入力装置１１４による入力を処理するための入力インターフェイス１１６と、同様に無線ＬＡＮインターフェイスを備えた前記無線タグ通信装置１２等と無線により情報の通信を行うための無線通信部１１８とを、備えて構成されている。また、予め定められた複数の前記無線タグ１４を定義するリストすなわち前述した図４に示すようなタグリストを記憶する記憶装置１２０を備えている。
【００６７】
上述のように構成された無線タグ通信システム１００において、前記無線タグ通信装置１２は、前記サーバ装置１０２の記憶装置１２０に記憶されたリストを参照して前記制御を行う。すなわち、前記無線ＬＡＮ通信部７４を介して前記サーバ装置１０２の記憶装置１２０に記憶されたリストにおける無線タグ１４のＩＤを読み出し、そのリストに記憶された無線タグ１４を検出対象として前記通信制御を行う。また、前述の実施例と同様に、前記切換判定部７１による判定結果に基づいて、そのリストに含まれる全ての無線タグ１４を通信対象としてそれら無線タグ１４との間で情報の通信を行う第１の通信モードと、指定されたＩＤに対応する少なくとも１つの前記無線タグ１４を通信対象としてその無線タグ１４との間で情報の通信を行う第２の通信モードとを、選択的に成立させる前述の制御を行う。
【００６８】
このように、本実施例によれば、前記無線タグ通信装置１２と、その無線タグ通信装置１２との間で情報の通信を行い得る、前記リストを記憶するサーバ装置１０２とを、備え、前記無線タグ通信装置１２によりそのリストに含まれる複数の無線タグ１４の存在を確認するための通信を行う無線タグ通信システム１００であることから、予めリスト化された複数の無線タグ１４の存在を確認するための通信において、その確認の進行に応じて未確認の無線タグ１４のＩＤを指定しての通信に切り換えることができるため、斯かる未確認の無線タグ１４との間で効率的に通信を行うことができる。すなわち、予めリスト化された複数の無線タグ１４の存在を可及的速やかに確認し得る無線タグ通信システム１００を提供することができる。
【００６９】
以上、本発明の好適な実施例を図面に基づいて詳細に説明したが、本発明はこれに限定されるものではなく、更に別の態様においても実施される。
【００７０】
例えば、前述の実施例において、前記通信状態判定部７０、切換判定部７１、及び通信制御部７２は、何れも前記ＤＳＰ３４に機能的に備えられたものであったが、本発明はこれに限定されるものではなく、例えば、前記通信状態判定部７０、切換判定部７１、及び通信制御部７２と等価な制御機能をそれぞれ個別に有する制御装置が前記ＤＳＰ３４とは別体として備えられたものであってもよい。また、これらの制御機能による制御動作は、ディジタル信号処理によるものであるとアナログ信号処理によるものであるとを問わない。
【００７１】
また、前述の実施例では、指向性制御を特に行わない無線タグ通信装置１２について説明したが、例えば、ＰＡＡ（Phased Array Antenna）処理やＡＡＡ（Adaptive Array Antenna）処理等により前記無線タグ１４との通信指向性を制御し得る無線タグ通信装置にも本発明は好適に適用されるものである。
【００７２】
また、前述の実施例では、所定位置に対して移動可能に設けられた携帯式装置である無線タグ通信装置１２に本発明が適用された例を説明したが、所定位置に対して位置固定に設けられた据置式装置としての無線タグ通信装置にも本発明は好適に適用されるものである。
【００７３】
その他、一々例示はしないが、本発明はその趣旨を逸脱しない範囲内において種々の変更が加えられて実施されるものである。
【図面の簡単な説明】
【００７４】
【図１】本発明が好適に適用される無線タグ通信システムを説明する図である。
【図２】本発明の一実施例である無線タグ通信装置の外観を示す斜視図である。
【図３】図２に示す無線タグ通信装置の構成を説明する図である。
【図４】図２に示す無線タグ通信装置のメモリ部に記憶された無線タグリストを例示する図である。
【図５】図１に示す無線タグ通信システムにおいて、収納庫内に収納された物品に貼られた無線タグを図２に示す無線タグ通信装置により検索する様子を説明する図である。
【図６】図１に示す無線タグ通信システムの管理対象である無線タグに備えられた無線タグ回路素子の構成を説明する図である。
【図７】図３に示す無線タグ通信装置のＤＳＰによる無線タグ通信制御の要部を説明するフローチャートである。
【図８】本第２発明の一実施例である無線タグ通信システムについて説明する図である。
【図９】図８に示す無線タグ通信システムに備えられたサーバ装置の構成を例示する図である。
【符号の説明】
【００７５】
１０、１００：無線タグ通信システム
１２：無線タグ通信装置
１４：無線タグ
７０：通信状態判定部
７１：切換判定部
７２：通信制御部
７６：メモリ部（記憶装置）
１０２：サーバ装置
【図１】
0005018378.tif 000002
【図２】
0005018378.tif 000003
【図３】
0005018378.tif 000004
【図４】
0005018378.tif 000005
【図５】
0005018378.tif 000006
【図６】
0005018378.tif 000007
【図７】
0005018378.tif 000008
【図８】
0005018378.tif 000009
【図９】
0005018378.tif 000010